(57)【要約】【課題】カード差し内における複数枚のカードの１枚ずつの摘まみ出しが簡単に行え、加えて、カードを１枚ずつ摘まみ出し得る状態を維持し得るカード入れを提供する。【解決手段】折れ目２を介して二つに折れるタイプの名刺入れ１であって、複数枚の名刺Ｃを重ねて収納する名刺差し１０を折れ目２の一方側に備え、名刺差し１０は、折れ目２に向けて開口する名刺出し入れ口１１と、名刺出し入れ口１１から挿入される複数枚の名刺Ｃの各一端Ｃａと当接する底面１２を具備し、名刺差し１０の底面１２は、名刺出し入れ方向で且つ複数枚の名刺Ｃの重なり方向に対して傾斜する斜面として形成され、名刺差しＣの名刺出し入れ口１１側には、傾斜する斜面として形成された底面１２と当接することで名刺出し入れ方向に階段状にずれた状態の複数枚の名刺Ｃの各他端Ｃｂと当接する名刺押え１５が設けられている。【選択図】図１
2020075116.tif 000002
【特許請求の範囲】
【請求項１】
折れ目を介して二つに折れるタイプのカード入れであって、
複数枚のカードを重ねて収納するカード差しを前記折れ目の少なくとも一方側に備え、
前記カード差しは、前記折れ目に向けて開口するカード出し入れ口と、前記カード出し入れ口から挿入される前記複数枚のカードの各一端と当接する底面を具備し、
前記カード差しの前記底面は、前記カードの出し入れ方向で且つ前記複数枚のカードの重なり方向に対して傾斜する斜面として形成され、
前記カード差しの前記カード出し入れ口側には、前記底面と当接することで前記カードの出し入れ方向に階段状にずれた状態の前記複数枚のカードの各他端と当接するカード押えが設けられているカード入れ。
【請求項２】
前記カード押えは、前記カード差しの前記カード出し入れ口の両端部にそれぞれ配置されている請求項１に記載のカード入れ。
【請求項３】
前記カード押えは、前記カード差しの前記カード出し入れ口のいずれか一方の端部又は中央部に配置されている請求項１に記載のカード入れ。
【請求項４】
前記カード押えは、前記カード差しを構成する部材と同じ材質の部材から成っている請求項１〜３のいずれかに記載のカード入れ。
【請求項５】
前記カード差しの傾斜する斜面として形成された前記底面は、前記複数枚のカードの重なり方向における奥側から手前側にかけて下り勾配を成している請求項１〜４のいずれかに記載のカード入れ。
【請求項６】
前記カード差しの傾斜する斜面として形成された前記底面は、前記複数枚のカードの重なり方向における手前側から奥側にかけて下り勾配を成している請求項１〜４のいずれかに記載のカード入れ。
【発明の詳細な説明】
【技術分野】
【０００１】
本発明は、複数枚の名刺や、各種カードを重ねて収納する財布型のカード入れに関するものである。
【背景技術】
【０００２】
従来、上記したような財布型のカード入れとしては、例えば、二つ折りの名刺入れがある。
この二つ折りの名刺入れとしては、表側に位置する皮革又は合成皮革である表皮に同じく皮革又は合成皮革である裏皮を縫い合わせて成っている物が一般的であり、複数枚の名刺を重ねて収納する名刺差しは、二つ折りの中央に名刺出し入れ口を向けた状態で折れ目の少なくとも一方側に配置されている。
【０００３】
この名刺入れの場合、名刺出し入れ口に覗いている複数枚の名刺の各端が平らな面を成すようして揃うことが多いので、名刺を取り出す際に複数枚の名刺を一緒に摘まんでしまうことが頻繁にあり、名刺を１枚ずつ摘まみ出すのが容易ではないという不便さがあった。
【０００４】
従来において、このような不便さを解消するために成された名刺入れが特許文献１に記載されている。
この特許文献１に記載された名刺入れは、複数枚の名刺を重ねて収納する名刺差しの底面に、名刺出し入れ方向で且つ複数枚の名刺の重なり方向に対して傾斜する斜面を有する整形部材を組み込んで成っており、この名刺入れにおいて、整形部材の上記斜面は、複数枚の名刺の重なり方向における奥側から手前側にかけて下り勾配を成すように形成されている。
【０００５】
つまり、この名刺入れでは、名刺出し入れ口から挿入される複数枚の名刺の各一端を整形部材の斜面に当接させることで、複数枚の名刺を名刺出し入れ方向に階段状にずらし、最も奥側に位置している最上位の名刺から１枚ずつ摘まみ出すことができるようにしている。
【先行技術文献】
【特許文献】
【０００６】
【特許文献１】特開平08-126513号
【発明の概要】
【発明が解決しようとする課題】
【０００７】
上記した特許文献１に記載された名刺入れにおいて、名刺差し内の複数枚の名刺が整形部材の斜面に当接して名刺出し入れ方向に階段状にずれている場合には、名刺を１枚ずつ摘まみ出すことが簡単にできる。
【０００８】
ところが、二つ折りに畳んだ名刺入れを鞄等に入れて持ち運ぶ際に、名刺差し内の複数枚の名刺が整形部材の斜面から離れてしまうことがあり、この場合には、複数枚の名刺の各他端が平らな面を成すようになって、名刺を１枚ずつ摘まみ出し難くなってしまうという問題があり、この問題を解決することが従来の課題となっていた。
【０００９】
本発明は、上記した従来の課題に着目してなされたもので、カード差し内の複数枚のカードを容易に１枚ずつ摘まみ出すことができるのは勿論のこと、カードを１枚ずつ摘まみ出し得る状態を維持することが可能であるカード入れを提供することを目的としている。
【課題を解決するための手段】
【００１０】
本発明の第１の態様は、折れ目を介して二つに折れるタイプのカード入れであって、複数枚のカードを重ねて収納するカード差しを前記折れ目の少なくとも一方側に備え、前記カード差しは、前記折れ目に向けて開口するカード出し入れ口と、前記カード出し入れ口から挿入される前記複数枚のカードの各一端と当接する底面を具備し、前記カード差しの前記底面は、前記カードの出し入れ方向で且つ前記複数枚のカードの重なり方向に対して傾斜する斜面として形成され、前記カード差しの前記カード出し入れ口側には、前記底面と当接することで前記カードの出し入れ方向に階段状にずれた状態の前記複数枚のカードの各他端と当接するカード押えが設けられている構成としている。
【００１１】
また、本発明の第２の態様において、前記カード押えは、前記カード差しの前記カード出し入れ口の両端部にそれぞれ配置されている構成としている。
【００１２】
さらに、本発明の第３の態様において、前記カード押えは、前記カード差しの前記カード出し入れ口のいずれか一方の端部又は中央部に配置されている構成としている。
【００１３】
さらにまた、本発明の第４の態様において、前記カード押えは、前記カード差しを構成する部材と同じ材質の部材から成っている構成としている。
【００１４】
さらにまた、本発明の第５の態様において、前記カード差しの傾斜する斜面として形成された前記底面は、前記複数枚のカードの重なり方向における奥側から手前側にかけて下り勾配を成している構成としている。
【００１５】
さらにまた、本発明の第６の態様において、前記カード差しの傾斜する斜面として形成された前記底面は、前記複数枚のカードの重なり方向における手前側から奥側にかけて下り勾配を成している構成としている。
【００１６】
本発明のカード入れでは、カード差し内における複数枚のカードが、カード差しの傾斜する斜面として形成された底面に当接してカード出し入れ方向に階段状にずれるので、カードの１枚ずつの摘まみ出しが容易に成されることとなる。
【００１７】
そして、二つ折りに畳んだカード入れを鞄等に入れて持ち運ぶ際も、カード差しの底面と当接することでカードの出し入れ方向に階段状にずれた複数枚のカードの各他端にカード押えが当接するので、複数枚のカードがカード差しの底面から離れてしまうことが阻止されて、カードを１枚ずつ摘まみ出し得る状態が維持されることとなる。
【発明の効果】
【００１８】
本発明のカード入れにおいて、カード差し内における複数枚のカードの１枚ずつの摘まみ出しを容易に行うことができ、加えて、カードを１枚ずつ摘まみ出し得る状態を維持することが可能であるという非常に優れた効果がもたらされる。
【図面の簡単な説明】
【００１９】
【図１】本発明に係るカード入れの一実施形態を示す二つ折りの名刺入れを開いた状態の斜視説明図（ａ）及び部分断面説明図（ｂ）である。
【図２】本発明に係るカード入れの他の実施形態を示す二つ折りの名刺入れを開いた状態の部分斜視説明図である。
【図３】本発明に係るカード入れのさらに他の実施形態を示す二つ折りの名刺入れを開いた状態の部分断面説明図である。
【図４】本発明に係るカード入れのさらに他の実施形態を示す二つ折りの長財布を開いた状態の斜視説明図である。
【図５】本発明に係るカード入れのさらに他の実施形態を示す二つ折りの名刺入れを開いた状態の斜視説明図（ａ）及び部分断面説明図（ｂ）である。
【図６】本発明に係るカード入れのさらに他の実施形態を示す二つ折りの名刺入れを開いた状態の部分断面説明図である。
【発明を実施するための形態】
【００２０】
以下、本発明に係るカード入れを図面に基づいて説明する。
図１は、本発明に係るカード入れの一実施形態を示しており、この実施形態では、本発明に係るカード入れが名刺入れである場合を示している。
【００２１】
図１に示すように、この名刺入れ１は、折れ目２を介して二つに折れるタイプの名刺入れであって、表側に位置する皮革又は合成皮革である表皮３に同じく皮革又は合成皮革である裏皮４を縫い合わせて成っている。
【００２２】
この名刺入れ１は、複数枚の名刺Ｃを重ねて収納する名刺差し１０を折れ目２の一方側（図１（ａ）左下側）に備えており、折れ目２の他方側（図１（ａ）右上側）には、定期券やクレジットカード等の硬質のカードＣＨの収納ポケット５が備えられている。
【００２３】
名刺差し１０は、折れ目２に向けて開口する名刺出し入れ口１１と、この名刺出し入れ口１１から挿入される複数枚の名刺Ｃの各一端Ｃａと当接する底面１２を具備しており、この底面１２は、名刺出し入れ方向（図１（ｂ）上下方向）で且つ複数枚の名刺Ｃの重なり方向（図１（ｂ）左右方向）に対して傾斜する斜面として形成されている。
【００２４】
この場合、名刺差し１０の傾斜する斜面として形成された底面１２は、複数枚の名刺Ｃの重なり方向における奥側（図１（ｂ）右側）から手前側（図１（ｂ）左側）にかけて下り勾配を成しており、複数枚の名刺Ｃは、各々の一端Ｃａが傾斜する底面１２と当接することで名刺出し入れ方向に階段状にずれるようになっている。
【００２５】
また、この名刺入れ１は、名刺差し１０の名刺出し入れ口１１の両端部にそれぞれ位置する名刺押え（カード押え）１５，１５を備えている。
これらの名刺押え１５，１５は、名刺差し１０の傾斜する底面１２と当接することで名刺出し入れ方向に階段状にずれた複数枚の名刺Ｃの各他端Ｃｂと当接するものとなっている。
【００２６】
この実施形態において、名刺押え１５，１５は、この名刺差し１０を構成する部材、すなわち、裏皮４と同じ皮革又は合成皮革から成っており、帯状に切断した皮革又は合成皮革をループさせた形状を成している。詳述すれば、名刺押え１５は、中間部をループさせた帯状皮革の両端部を互いに重ね合わせて形成され、名刺差し１０の裏皮４に貼り付けて成っている。
【００２７】
つまり、この実施形態において、ループ状の名刺押え１５を複数枚の名刺Ｃの各他端Ｃｂに当接させることで、名刺押え１５が有する皮革又は合成皮革の弾性力で複数枚の名刺Ｃの積層状態を維持するようになっている。
【００２８】
なお、このループ状の名刺押え１５は、ループ部が大き過ぎると、名刺入れ１そのものの形状が崩れる可能性があり、一方、ループ部が小さ過ぎると、名刺Ｃを１枚ずつ摘まみ出し得る積層状態を維持することができなくなってしまう。
【００２９】
そこで、この実施形態では、ループ部の大きさが丁度良い名刺押え１５を製作するために、皮革又は合成皮革から切り出す帯状皮革の長さを検討して決める型紙製作工程と、実際に切り出した帯状皮革をループ状に形成した場合の出来具合を見極める工程と、名刺差し１０の襠の寸法及び帯状皮革の長さの関係を検討する工程とを経て、名刺押え１５を製作するようにしている。
【００３０】
この実施形態による名刺入れ１では、名刺差し１０の傾斜する斜面として形成された底面１２が、複数枚の名刺Ｃの重なり方向における奥側から手前側にかけて下り勾配を成しているので、この底面１２に当接する名刺差し１０内における複数枚の名刺Ｃは、名刺出し入れ方向に階段状にずれることとなり、最も奥側に位置している最上位の名刺Ｃから１枚ずつ摘まみ出し得ることとなる、すなわち、名刺Ｃの１枚ずつの摘まみ出しが容易に成されることとなる。
【００３１】
そして、二つ折りに畳んだ名刺入れ１を鞄等に入れて持ち運ぶ際には、名刺差し１０の底面１２と当接することで名刺出し入れ方向に階段状にずれた複数枚の名刺Ｃの各他端Ｃｂに名刺押え１５，１５が当接するので、複数枚の名刺Ｃが名刺差し１０の底面１２から離れてしまうことが阻止され、したがって、名刺Ｃを１枚ずつ摘まみ出し得る状態が維持されることとなる。
【００３２】
この実施形態では、名刺入れ１が、折れ目２の他方側（図１（ａ）右上側）に収納ポケット５を備えている場合を例示したが、折れ目２の他方側にも、上記で説明した名刺差し１０と同じ構成の名刺差し１０を配置してもよい。
【００３３】
また、上記実施形態では、名刺押え１５，１５を名刺差し１０の名刺出し入れ口１１の両端部にそれぞれ配置した場合を例示したが、これに限定されるものではなく、他の実施形態として、例えば、図２に示すように、名刺押え１５を名刺差し１０における名刺出し入れ口１１の一方の端部のみに設けたり、図示はしないが、名刺押え１５を名刺差し１０における名刺出し入れ口１１の中央部に設けたりしてもよい。
【００３４】
さらに、上記実施形態では、名刺押え１５が、裏皮４と同じ皮革又は合成皮革から成っている場合を例示したが、これに限定されるものではなく、さらに他の実施形態として、例えば、図３に示すように、複数枚の名刺Ｃの積層状態を維持するのに適度な弾性を有する合成ゴムで名刺押え２５を形成してもよい。
【００３５】
さらにまた、上記実施形態では、名刺出し入れ口１１が、名刺差し１０に収納する名刺Ｃの横辺とほぼ平行を成す場合を例示したが、これに限定されるものではなく、図２に示すように、名刺差し１０に収納する名刺Ｃの横辺に対して傾斜させたり、図１（ａ）に仮想線で示すように、中央部で大きく凹ませたりしてもよく、いずれの場合においても、最も手前側に位置している名刺Ｃの摘まみ出しが容易なものとなる。
【００３６】
図４は、本発明に係るカード入れのさらに他の実施形態を示しており、この実施形態では、本発明に係るカード入れが長財布である場合を示している。
【００３７】
図４に示すように、この長財布３１が、先の実施形態による名刺入れ１と相違するところは、複数枚の名刺Ｃを重ねて収納する名刺差し１０を折れ目３２の一方側（図４左下側）において横並び状態で２つ備えている点、及び、折れ目３２の他方側（図４右上側）に札Ｂを重ねて収納する札入れ３５を備えている点にあり、他の構成は、名刺差し１０の構成を含めて先の実施形態による名刺入れ１と同じである。
【００３８】
この実施形態による長財布３１でも、名刺差し１０の傾斜する斜面として形成された底面１２が、複数枚の名刺Ｃの重なり方向における奥側から手前側にかけて下り勾配を成しているので、この底面１２に当接する名刺差し１０内における複数枚の名刺Ｃは、名刺出し入れ方向に階段状にずれることとなり、最も奥側に位置している最上位の名刺Ｃから１枚ずつ摘まみ出し得ることとなる、すなわち、名刺Ｃの１枚ずつの摘まみ出しが容易に成されることとなる。
【００３９】
そして、二つ折りに畳んだ長財布３１を鞄等に入れて持ち運ぶ際には、名刺差し１０の底面１２と当接することで名刺出し入れ方向に階段状にずれた複数枚の名刺Ｃの各他端Ｃｂに名刺押え１５，１５が当接するので、複数枚の名刺Ｃが名刺差し１０の底面１２から離れてしまうことが阻止され、したがって、名刺Ｃを１枚ずつ摘まみ出し得る状態が維持されることとなる。
【００４０】
図５は、本発明に係るカード入れのさらに他の実施形態を示しており、この実施形態では、本発明に係るカード入れが名刺入れである場合を示している。
【００４１】
図５に示すように、この名刺入れ５１が、先の実施形態による名刺入れ１と相違するところは、名刺差し６０の傾斜する斜面として形成された底面６２が、複数枚の名刺Ｃの重なり方向における手前側（図５（ｂ）左側）から奥側（図５（ｂ）右側）にかけて下り勾配を成している点、及び、名刺押え６５を折れ目５２の近傍における表皮３上に１つ配置した点にあり、他の構成は、先の実施形態による名刺入れ１と同じである。
【００４２】
この実施形態による名刺入れ５１では、名刺差し６０の傾斜する斜面として形成された底面６２が、複数枚の名刺Ｃの重なり方向における手前側から奥側にかけて下り勾配を成しているので、この底面６２に当接する名刺差し６０内における複数枚の名刺Ｃは、名刺出し入れ方向に階段状にずれることとなり、最も手前側に位置している最上位の名刺Ｃから１枚ずつ摘まみ出し得ることとなる、すなわち、名刺Ｃの１枚ずつの摘まみ出しが容易に成されることとなる。
【００４３】
そして、二つ折りに畳んだ名刺入れ５１を鞄等に入れて持ち運ぶ際には、名刺差し６０の底面６２と当接することで名刺出し入れ方向に階段状にずれた複数枚の名刺Ｃの各他端Ｃｂに名刺押え６５が当接するので、複数枚の名刺Ｃが名刺差し６０の底面６２から離れてしまうことが阻止され、したがって、名刺Ｃを１枚ずつ摘まみ出し得る状態が維持されることとなる。
【００４４】
図６は、本発明に係るカード入れのさらに他の実施形態を示しており、この実施形態でも、本発明に係るカード入れが名刺入れである場合を示している。
【００４５】
図６に示すように、この名刺入れ７１は、折れ目７２を介して二つに折れるタイプの名刺入れであって、表側に位置する皮革又は合成皮革である表皮７３と、裏側に位置する革又は合成皮革である裏皮７４とから成っている。
【００４６】
この名刺入れ７１は、折れ目７２の一方側（図６（ａ）左下側）が複数枚の名刺Ｃを重ねて収納する名刺差し８０として形成され、折れ目７２の他方側（図６（ａ）右上側）が定期券やクレジットカード等の硬質のカードＣＨの収納ポケット７５として形成されている。
【００４７】
この実施形態において、名刺差し８０は、折り目Ｒで裏側に折り返した表皮７３の一方側に伸びる延長部７３Ａの両側縁を表皮７３の両側縁に襠７３Ｂを介してそれぞれ接合することで形成され、一方、収納ポケット７５は、裏側に位置する裏皮７４の両側縁を表皮７３の両側縁にそれぞれ縫い合わせることで形成されている。
【００４８】
この名刺差し８０も、折れ目７２に向けて開口する名刺出し入れ口８１と、この名刺出し入れ口８１から挿入される複数枚の名刺Ｃの各一端Ｃａと当接する底面８２を具備しており、この底面８２は、名刺出し入れ方向（図６（ｂ）上下方向）で且つ複数枚の名刺Ｃの重なり方向（図６（ｂ）左右方向）に対して傾斜する斜面として形成されている。
【００４９】
この実施形態において、名刺差し８０の底面８２は、表皮７３の延長部７３Ａに対向するようにして表皮７３の裏面に張り付けた補助皮８３の図６（ｂ）下端部を表皮７３の延長部７３Ａの折り目Ｒ付近に接合することで斜面として形成されている。つまり、名刺差し８０の底面８２は、表皮７３，延長部７３Ａ及び襠７３Ｂで被覆されて露出しないようになっており、これにより見栄えが向上したものとなっている。
【００５０】
この際、名刺差し８０の底面８２は、複数枚の名刺Ｃの重なり方向における奥側（図６（ｂ）右側）から手前側（図６（ｂ）左側）にかけて下り勾配を成しており、複数枚の名刺Ｃは、各々の一端Ｃａが傾斜する底面８２と当接することで名刺出し入れ方向に階段状にずれるようになっている。
【００５１】
また、この名刺入れ７１は、名刺差し８０の名刺出し入れ口８１の両端部にそれぞれ位置する名刺押え（カード押え）８５，８５を備えている。
これらの名刺押え８５，８５は、名刺差し８０の傾斜する底面８２と当接することで名刺出し入れ方向に階段状にずれた複数枚の名刺Ｃの各他端Ｃｂと当接するものとなっている。
【００５２】
この実施形態において、名刺押え８５，８５は、この名刺差し８０を構成する部材、すなわち、裏皮７４と同じ皮革又は合成皮革から成っており、帯状に切断した皮革又は合成皮革をループさせた形状を成している。詳述すれば、名刺押え８５は、中間部をループさせた帯状皮革の両端部を互いに重ね合わせて形成され、名刺差し８０の延長部７３Ａに貼り付けて成っている。
【００５３】
つまり、この実施形態において、ループ状の名刺押え８５を複数枚の名刺Ｃの各他端Ｃｂに当接させることで、名刺押え８５が有する皮革又は合成皮革の弾性力で複数枚の名刺Ｃの積層状態を維持するようになっている。
【００５４】
この実施形態による名刺入れ７１では、名刺差し８０の傾斜する斜面として形成された底面８２が、複数枚の名刺Ｃの重なり方向における奥側から手前側にかけて下り勾配を成しているので、この底面８２に当接する名刺差し８０内における複数枚の名刺Ｃは、名刺出し入れ方向に階段状にずれることとなり、最も奥側に位置している最上位の名刺Ｃから１枚ずつ摘まみ出し得ることとなる、すなわち、名刺Ｃの１枚ずつの摘まみ出しが容易に成されることとなる。
【００５５】
そして、二つ折りに畳んだ名刺入れ７１を鞄等に入れて持ち運ぶ際には、名刺差し８０の底面８２と当接することで名刺出し入れ方向に階段状にずれた複数枚の名刺Ｃの各他端Ｃｂに名刺押え８５，８５が当接するので、複数枚の名刺Ｃが名刺差し８０の底面８２から離れてしまうことが阻止され、したがって、名刺Ｃを１枚ずつ摘まみ出し得る状態が維持されることとなる。
【００５６】
また、この実施形態では、表皮７３，延長部７３Ａ及び襠７３Ｂで名刺差し８０の底面８２を覆って外部からは見えないようにしているので、見栄えが向上したものとなる。
【００５７】
上記した各実施形態において、本発明に係るカード入れがいずれも名刺入れである場合を示したが、これに限定されるものではなく、クレジットカードやポイントカード等の硬質のカード入れに適用することが勿論可能である。
【００５８】
本発明に係るカード入れの構成は、上記した実施形態に限定されるものではない。
【符号の説明】
【００５９】
１，５１，７１      名刺入れ（カード入れ）
２，５２，７２      折れ目
１０，６０，８０    名刺差し（カード差し）
１１，６１，８１    名刺出し入れ口（カード出し入れ口）
１２，６２，８２    名刺差しの底面（カード差しの底面）
１５，６５，８５    名刺押え（カード押え）
３１          長財布（カード入れ）
Ｃ            名刺（カード）
Ｃａ          名刺の一端（カードの一端）
Ｃｂ          名刺の他端（カードの他端）
【図１】
2020075116.tif 000003
【図２】
2020075116.tif 000004
【図３】
2020075116.tif 000005
【図４】
2020075116.tif 000006
【図５】
2020075116.tif 000007
【図６】
2020075116.tif 000008